(57)【要約】【課題】基盤に設けられたプラグ状端子が電動モータに設けられた凹陥状の出力端子のところに確実に嵌まり込むようにする。【解決手段】電動モータ２と、電動モータ２からの動力伝達を役目とするギヤ装置６と、ドア側に固定されるベース部材７と、ベース部材７のシャフト部７１に対して相対回転運動が可能なように取付けられるものであってミラーハウジング８が取付けられるとともに、これらを上記シャフト部７１の周りに回転運動させる電動モータ２並びにギヤ装置６の収容されるホルダ５と、ホルダ５内にあって上記電動モータ２の作動を制御する制御手段３３等の取付けられる基盤３と、これら基盤３及び電動モータ２等を覆うように設けられるケース１と、からなるようにする。上記ケース１には、その内部に、コーナリブ兼用のガイド部１１が設けられるようになっている。【選択図】    図３
2004155367.tif 000002
【特許請求の範囲】
【請求項１】
電動モータと、当該電動モータからの動力を伝達する役目を果すウオーム機構等からなるギヤ装置と、ドア側に固定されるベース部材と、当該ベース部材のシャフト部のところに相対回転運動が可能なように取付けられるものであって、ミラーの収容されるミラーハウジングが連結されるとともに当該ミラーハウジングを上記シャフト部の周りに回転運動させる上記電動モータ及びギヤ装置の収容されるホルダと、当該ホルダ内にあって上記電動モータの作動制御を行う制御手段の取付けられる基盤と、これら基盤及び上記電動モータを覆うように設けられるケースと、からなるミラー用電動格納装置において、上記電動モータの一部に当該電動モータへの電力供給に寄与する凹陥状の入力端子を設けておくとともに、上記基盤の一部にプラグ状の出力端子を設けておき、この基盤側の出力端子を上記電動モータ側の入力端子のところに嵌合させ、更に、上記ケースの内側には、一方向側への傾斜面を有するものであって突起状の形態からなるガイド部を設けておくようにし、一方、上記ケースが上記電動モータ及び基盤を被うように装着される際に、上記ケースの内側に設けられたガイド部が上記基盤の一側端部に接触して、当該基盤に設けられたプラグ状の出力端子を上記電動モータに設けられた凹陥状の入力端子側へ押し込むように作用させるようにしたことを特徴とするミラー用電動格納装置。
【請求項２】
請求項１記載のミラー用電動格納装置において、上記ケースを所定のプラスチック材にて形成するとともに、上記ガイド部を上記ケースにおけるリブの役目を果たさせるようにしたことを特徴とするミラー用電動格納装置。
【請求項３】
請求項１または請求項２記載のミラー用電動格納装置において、上記ガイド部に、上記ケースが装着された状態において上記基盤が上記電動モータに設けられた入力端子のところから脱落するのを防止する役目を持たせるようにしたことを特徴とするミラー用電動格納装置。
【発明の詳細な説明】
【０００１】
【発明の属する技術分野】
本発明は、ミラー用電動格納装置に関するものであり、特に、電動モータの作動制御を担う制御手段等の取付けられる基盤に設けられたプラグ状の端子と、当該プラグ状の端子が挿入される電動モータ側の入力端子と、の間における結合状態を強固なものとするために、上記基盤を上記電動モータ側へ押し付けるように作用するガイド部をケースの内側に設けるようにしたミラー用電動格納装置に関するものである。
【０００２】
【従来の技術】
一般に、ミラー用電動格納装置、特に、ドアミラー用電動格納装置は、例えば図５に示す如く、ミラーの取付けられるミラーハウジング２０が連結されるとともに内部に電動モータ５０、ウオーム機構を初めとしたギヤ装置６０等の収容されるホルダ３０が、ドア側に取付けられるベース部材１０のシャフト部１１０の周りに回転自在なように取付けられるようになっているものである。そして、上記ホルダ３０及びミラーハウジング２０等にて形成されるミラーアセンブリが、上記電動モータ５０、並びにウオーム機構等からなるギヤ装置６０にて駆動されるようになっているものである。このホルダ３０の回転運動によって、ミラーを含むミラーハウジング（ミラーアセンブリ）２０がシャフト部１１０の周りを回転運動して、ミラーアセンブリの格納作動あるいは展開作動が行なわれるようになっているものである。そして、これらの格納作動あるいは展開作動は、上記ホルダ３０内に設けられた制御手段８０にて制御されるようになっているものである。なお、このような制御手段８０は基盤８８０上に装着されるようになっているものである。そして、このような制御手段８０を有する基盤８８０及び電動モータ５０等はプラスチック製のケース５５０にて覆われるようになっているものである。
【０００３】
【発明が解決しようとする課題】
このような構成からなるものにおいて、上記制御手段８０の装着される基盤８８０と電動モータ５０との間は、基盤８８０側に設けられたプラグ状端子と、電動モータ５０側に設けられた凹陥状の入力端子と、の結合作用によって電気的に接続されるようになっているものである。ところで、このような電気的接続に当たって、上記基盤側に設けられたプラグ状端子が、電動モータ側に設けられた凹陥状の入力端子に完全な状態で嵌合されない場合が起こり、電気的接続が不完全な状態で組付け（組立て）が行われるおそれがある。このような問題点を解決するために、上記基盤及び電動モータの上方部に、これらを覆うように装着されるケース５５０の、その内側に所定のガイド部を設けておくようにし、これによって、上記ケースの装着時に、上記ガイド部の作用により、上記両端子間が完全な状態で結合されるようにしたガイド部付きのケースを有するミラー用電動格納装置を提供しようとするのが、本発明の目的（課題）である。
【０００４】
【課題を解決するための手段】
上記課題を解決するために、本発明においては次のような手段を講ずることとした。すなわち、請求項１記載の発明においては、電動モータと、当該電動モータからの動力を伝達する役目を果すウオーム機構等からなるギヤ装置と、ドア側に固定されるベース部材と、当該ベース部材のシャフト部のところに相対回転運動が可能なように取付けられるものであって、ミラーの収容されるミラーハウジングが連結されるとともに当該ミラーハウジングを上記シャフト部の周りに回転運動させる上記電動モータ及びギヤ装置の収容されるホルダと、当該ホルダ内にあって上記電動モータの作動制御を行う制御手段の取付けられる基盤と、これら基盤及び上記電動モータを覆うように設けられるケースと、からなるミラー用電動格納装置に関して、上記電動モータの一部に当該電動モータへの電力供給に寄与する凹陥状の入力端子を設けておくとともに、上記基盤の一部にプラグ状の出力端子を設けておき、この基盤側の出力端子を上記電動モータ側の入力端子のところに嵌合させ、更に、上記ケースの内側には、一方向側への傾斜面を有するものであって突起状の形態からなるガイド部を設けておくようにし、一方、上記ケースが上記電動モータ及び基盤を被うように装着される際に、上記ケースの内側に設けられたガイド部が上記基盤の一側端部に接触して、当該基盤に設けられたプラグ状の出力端子を上記電動モータに設けられた凹陥状の入力端子側へ押し込むように作用させるようにした構成を採ることとした。
【０００５】
このような構成を採ることにより、本発明のものにおいては、上記電動モータ及び基盤の上にケースを被せるように装着する際に、当該ケースの内側に設けられたガイド部の作用により、上記基盤に設けられたプラグ状の出力端子は、電動モータ側に設けられた凹陥状の入力端子内へ円滑に挿入されるようになる。従って、両端子間は確実に結合されるようになる。特に、本発明のものにおいては、上記ケースの内面側に一方側に傾斜する面を有するガイド部が設けられており、このガイド部がケースの装着時に、上記基盤の一側端部であってプラグ状端子の存する側と接触するようになっているので、ケースの装着作業時に、当該作業に応じて上記傾斜面のところには上記プラグ状端子を電動モータ側の凹陥状端子側へ押し込むように作用する分力が生ずることとなる。従って、この分力によって、上記プラグ状端子は確実に電動モータに設けられた凹陥状の端子内へ挿入され、嵌め込まれることとなる。
【０００６】
次に、請求項２記載の発明について説明する。このものも、その基本的な点は上記請求項１記載のものと同じである。すなわち、本発明においては、請求項１記載のミラー用電動格納装置に関して、上記ケースを所定のプラスチック材にて形成するとともに、上記ガイド部を上記ケースにおけるリブの役目をも果たさせるようにした構成を採ることとした。このような構成を採ることにより、本発明のものにおいては、上記ガイド部が、上記ケースにおける補強リブの役目を果たすようになり、ケースを、軽くしたうえで、かつ、相当の強度をもたせるようにすることができるようになる。また、このようなケースをプラスチック材にて形成することができるようになり、ケース全体の質量軽減化及び製造コストの低減化を図ることができるようになる。
【０００７】
次に、請求項３記載の発明について説明する。このものも、その基本的な点は上記請求項１または請求項２記載のものと同じである。すなわち、本発明においては、請求項１または請求項２記載のミラー用電動格納装置に関して、上記突起状のガイド部に、上記ケースが装着された状態において、上記基盤が電動モータに設けられた凹陥状の入力端子のところから脱落するのを防止する脱落防止機能を持たせるようにした。すなわち、本発明のものにおいては、ケースが電動モータの上方部のところに正常に装着されると、上記突起状のガイド部は基盤の側端部のところを押え付けるような位置に設けられているので、基盤が仮に上記電動モータに設けられた凹陥状入力端子のところから浮き上がるようになったとしても、この状態から更に上記基盤が脱落する方向に移動するのを、上記ガイド部のところが阻止するように作用することとなる。従って、基盤は電動モータのところから脱落するようなことがない。
【０００８】
【発明の実施の形態】
本発明の実施の形態について、図１ないし図４を基に説明する。本実施の形態に関するものの、その構成は、図１に示す如く、電動モータ２と、当該電動モータ２からの動力を伝達する役目を果すものであってウオーム機構等からなるギヤ装置６と、ドア側に固定されるベース部材７と、当該ベース部材７のシャフト部７１に対して相対回転運動が可能なように取付けられるものであって、ミラーの収容されるミラーハウジング８が取付けられるとともに当該ミラーハウジング８及び上記ミラーを上記シャフト部７１の周りに回転運動させる電動モータ２並びにギヤ装置６の収容されるホルダ５と、当該ホルダ５内にあって上記電動モータ２の作動を制御する制御手段３３等の取付けられる基盤３と、これら基盤３及び上記電動モータ２等を覆うように設けられるものであってプラスチック材にて形成されるケース１と、からなることを基本とするものである。
【０００９】
このような構成からなるものにおいて、上記ケース１には、その内部に、例えば図２に示すような突起状のガイド部１１が設けられるようになっている。そして、このガイド部１１は、ケース１の上方天井部と側壁部との間のコーナ部のところに設けられるようになっているものである。すなわち、このガイド部１１はケース１のコーナリブをも形成するようになっているものである。そして、このガイド部１１には、図３及び図４に示す如く、ケース１の開口端部側に向かって突起の高さが低くなるように形成された傾斜面１１１が設けられるようになっているものである。
【００１０】
一方、このような構成からなるものにおいて、上記電動モータ２の一部には、図３に示す如く、その側面部に、凹陥状の形態からなる入力端子２１が設けられるようになっており、ここに基盤３に設けられたプラグ状の出力端子３１が挿入されるようになっているものである。また、上記基盤３上には、図１及び図４に示す如く、ダイオードあるいはマイクロプロセッサユニット（ＭＰＵ）等からなる制御手段３３が設けられるようになっており、この制御手段３３の制御作用に基づき、上記電動モータ２の駆動あるいは停止等が制御されるようになっているものである。そして、このような基盤３の一方の面側には、プラグ状の出力端子３１が設けられるようになっており、このプラグ状出力端子３１が上記電動モータ２側の凹陥状入力端子２１のところに嵌まり込むことによって、基盤３上の制御手段３３と電動モータ２とが電気的に接続されるようになっているものである。
【００１１】
このような構成を採ることにより、本実施の形態のものにおいては、上記ケース１が装着される際に、仮に上記基盤３に設けられたプラグ状の出力端子３１が電動モータ２に設けられた凹陥状の入力端子２１のところに正しく装着されていないような場合においても、上記ケース１に設けられたガイド部１１の傾斜面１１１が上記プラグ状出力端子３１を有する基盤３の一方の側端部３９側に接触して、この部分を電動モータ２側へ押し付けるように作用することとなる。すなわち、ケース１の装着作業によって、上記ガイド部１１の傾斜面１１１及び当該傾斜面１１１に接触する側端部３９のところには、出力端子３１を電動モータ２側に押し付けるように作用する分力が生ずることとなる。この分力によって、上記プラグ状の出力端子３１は、電動モータ２側に設けられた凹陥状の入力端子２１側へと押し付けられ、最終的には、上記プラグ状出力端子３１は上記凹陥状の入力端子２１のところに確実に嵌り込むようになる。このように、本実施の形態のものにおいては、基盤３は上記電動モータ２のところに確実に結合されるようになり、両者間は電気的に確実に接続されるようになる。また、ケース１が正常に装着された後は、突起状のガイド部１１が基盤３を常に電動モータ２側に押し込むように作用することとなるので、基盤３は電動モータ２から脱落するおそれが無くなる。また、このような機能を有する上記ケース１は、プラスチック材にて一体的に形成されるとともに、上記傾斜面１１１を有するガイド部１１もケース本体と一体的に成形されるようになっているので、ケース１全体の軽量化を図ることができるようになる。また、上記ガイド部１１は、コーナリブの役目をも果たすようになっているので、ケース１全体の強度・剛性を向上させることができるようになる。
【００１２】
【発明の効果】
本発明によれば、電動モータと、当該電動モータからの動力を伝達する役目を果すウオーム機構等からなるギヤ装置と、ドア側に固定されるベース部材と、当該ベース部材のシャフト部のところに相対回転運動が可能なように取付けられるものであって、ミラーの収容されるミラーハウジングが連結されるとともに当該ミラーハウジングを上記シャフト部の周りに回転運動させる上記電動モータ及びギヤ装置の収容されるホルダと、当該ホルダ内にあって上記電動モータの作動制御を行う制御手段の取付けられる基盤と、これら基盤及び上記電動モータを覆うように設けられるケースと、からなるミラー用電動格納装置に関して、上記電動モータの一部に当該電動モータへの電力供給に寄与する凹陥状の入力端子を設けておくとともに、上記基盤の一部にプラグ状の出力端子を設けておき、この基盤側の出力端子を上記電動モータ側の入力端子のところに嵌合させ、更に、上記ケースの内側には、一方向側への傾斜面を有するものであって突起状の形態からなるガイド部を設けておくようにし、一方、上記ケースが上記電動モータ及び基盤を被うように装着される際に、上記ケースの内側に設けられたガイド部が上記基盤の一側端部に接触して、当該基盤に設けられたプラグ状の出力端子を上記電動モータに設けられた凹陥状の入力端子側へ押し込むように作用させるようにした構成を採ることとしたので、上記電動モータ及び基盤の上にケースを被せるように装着する際に、当該ケースの内側に設けられた上記ガイド部の作用により、上記基盤に設けられたプラグ状の出力端子は、電動モータ側に設けられた凹陥状の入力端子内へと押し込まれるようになり、上記両端子どうしは確実に結合されるようになった。
【００１３】
具体的には、本発明のものにおいては、上記ケースの装着時において、仮に、上記両端子が正しく結合されていないような場合においても、上記ガイド部を形成する傾斜面のところが上記基盤の一側端部であってプラグ状端子の存する側と接触するようになり、ケースの装着作業に応じて上記傾斜面のところには上記プラグ状端子を電動モータ側の凹陥状端子側へ押し込むように作用する分力が生ずることとなるので、この分力によって、上記プラグ状端子は確実に電動モータに設けられた凹陥状の端子内へ挿入され、ここに嵌まり込むようになった。その結果、両端子間は確実に結合されるようになった。
【００１４】
また、本発明においては、上記ケースを所定のプラスチック材にて形成するとともに、上記ガイド部を上記ケースにおけるリブの役目をも果たさせるようにした構成を採ることとしたので、上記ガイド部が、上記ケースにおける補強リブの役目を果たすようになり、ケースを、軽くしたうえで、かつ、所定の強度・剛性をもたせるようにすることができるようになった。また、このようなケースをプラスチック材にて形成するようにしたので、ケース全体の質量軽減化及び製造コストの低減化を図ることができるようになった。
【図面の簡単な説明】
【図１】本発明の全体構成を示す展開斜視図である。
【図２】本発明の主要部を成すケース及びそこに設けられるガイド部の全体構成を示す斜視図である。
【図３】本発明の主要部を成す基盤、電動モータ、ケース、ホルダの相対関係を示す展開斜視図である。
【図４】本発明にかかる基盤、電動モータ、ケースの組立状態を示す断面図である。
【図５】従来のものの全体構成を示す展開斜視図である。
【符号の説明】
１  ケース
１１  ガイド部（突起状ガイド部）
１１１  傾斜面
２  電動モータ
２１  入力端子（凹陥状入力端子）
３  基盤
３１  出力端子（プラグ状出力端子）
３３  制御手段
３９  一方の側端部
５  ホルダ
６  ギヤ装置
７  ベース部材
７１  シャフト部
８  ミラーハウジング
【図１】
2004155367.tif 000003
【図２】
2004155367.tif 000004
【図３】
2004155367.tif 000005
【図４】
2004155367.tif 000006
【図５】
2004155367.tif 000007